(57)【要約】【課題】取得した投稿メッセージから容易に必要な情報を得ることができ、その内容を確認し逃してしまうことを防止することができる「投稿メッセージ出力装置」を提供することである。【解決手段】ソーシャル・ネットワーキング・サービスを提供するシステムに投稿された投稿メッセージを取得し、その取得した投稿メッセージを出力する投稿メッセージ出力装置であって、取得される前記投稿メッセージを読み上げて音声出力する音声出力部（１５、１６、Ｓ２２２）と、取得される前記投稿メッセージが出力に適していないものであるか否かを所定の基準に従って判定する出力不適メッセージ判定部（Ｓ１９）と、該出力不適メッセージ判定部により出力に適していないものと判定された投稿メッセージの少なくとも一部を前記音声出力部が読み上げて音声出力することを禁止する音声出力禁止制御部（Ｓ２２、Ｓ２２３）とを有する構成となる。【選択図】図３
2015162010.tif 000002
【特許請求の範囲】
【請求項１】
ソーシャル・ネットワーキング・サービスを提供するシステムに投稿された投稿メッセージを取得し、その取得した投稿メッセージを出力する投稿メッセージ出力装置であって、
取得される前記投稿メッセージを読み上げて音声出力する音声出力部と、
取得される前記投稿メッセージが出力に適していないものであるか否かを所定の基準に従って判定する出力不適メッセージ判定部と、
該出力不適メッセージ判定部により出力に適していないものと判定された投稿メッセージの少なくとも一部を前記音声出力部が読み上げて音声出力することを禁止する音声出力禁止制御部とを有する投稿メッセージ出力装置。
【請求項２】
前記出力不適メッセージ判定部は、
予め定めた一又は複数の文言を登録文言として含む文言登録リストを記憶する記憶部と、
取得された前記投稿メッセージから前記文言登録リストに含まれる登録文言を含む投稿メッセージを特定するメッセージ特定部とを有し、
該メッセージ特定部にて特定される複数の投稿メッセージのうちの少なくとも１つの投稿メッセージを出力に適していないものと判定する請求項１記載の投稿メッセージ出力装置。
【請求項３】
前記出力不適メッセージ判定部は、前記メッセージ特定部にて特定される、１つの投稿メッセージを除いた残り全ての投稿メッセージを出力に適していないものと判定する請求項２記載の投稿メッセージ出力装置。
【請求項４】
前記出力不適メッセージ判定部は、前記メッセージ特定部により１つの投稿メッセージが特定された後に、更に、前記メッセージ特定部により特定される投稿メッセージを出力に適していないものと判定する請求項３記載の投稿メッセージ出力装置。
【請求項５】
前記文言登録リストは、予め同種であるとして定められた複数の文言を前記登録文言として含む請求項２乃至４のいずれかに記載の投稿メッセージ出力装置。
【請求項６】
前記文言登録リストは、予め誹謗中傷の文言として定められた一又は複数の文言を前記登録文言として含む請求項２記載の投稿メッセージ出力装置。
【請求項７】
前記音声出力禁止制御手段は、出力に適していないものであると判定された投稿メッセージの少なくとも前記登録文言を前記音声出力部が読み上げて音声出力することを禁止する請求項２乃至６のいずれかに記載の投稿メッセージ出力装置。
【請求項８】
前記音声出力禁止制御手段は、出力に適していないものであると判定された投稿メッセージの前記登録文言を含む一区切りの部分を前記音声出力部が読み上げて音声出力することを禁止する請求項７記載の投稿メッセージ出力装置。
【請求項９】
取得した投稿メッセージを一覧表示する表示出力部と、
前記出力不適メッセージ判定部により出力に適していないと判定された投稿メッセージの表示形態を他の投稿メッセージの表示形態と異ならせる表示形態制御部とを有する請求項１記載の投稿メッセージ出力装置。
【請求項１０】
前記表示形態制御部は、出力に適していないと判定された投稿メッセージを表す文字列の少なくとも一部を表す文字列を他の投稿メッセージを表す文字列より小さく表示させる請求項９記載の投稿メッセージ出力装置。
【請求項１１】
前記出力不適メッセージ判定部は、
予め定めた一又は複数の文言を登録文言として含む文言登録リストを記憶する記憶部と、
取得された前記投稿メッセージから前記文言登録リストに含まれる登録文言を含む投稿メッセージを特定するメッセージ特定部とを有し、
該メッセージ特定部にて特定される複数の登録メッセージのうちの少なくとも１つの投稿メッセージを出力に適していないものと判定し、
前記表示形態制御部は、前記出力不適メッセージ判定部により出力に適していないものであると判定された投稿メッセージの少なくとも前記登録文言の表示形態を他の投稿メッセージの表示形態と異ならせる請求項９記載の投稿メッセージ出力装置。
【請求項１２】
前記表示形態制御部は、出力に適していないものであると判定された投稿メッセージの前記登録文言を含む一区切りの部分の表示形態を他の投稿メッセージの表示形態と異ならせる請求項１１記載の投稿メッセージ出力装置。
【請求項１３】
前記表示形態制御部は、出力に適していないものであると判定された投稿メッセージの表示形態を他の投稿メッセージの表示形態と異ならせるべき部分を表す文字列を当該他の投稿メッセージを表す文字列より小さくする請求項１１または１２記載の投稿メッセージ出力装置。
【請求項１４】
前記表示形態制御部は、出力不適メッセージ判定部により出力に適していないと判定された投稿メッセージの少なくとも一部を前記表示出力部が表示することを禁止する表示禁止制御手段を有する請求項９記載の投稿メッセージ出力装置。
【請求項１５】
前記出力不適メッセージ判定部は、予め定めた者以外の者から投稿された投稿メッセージを出力に適していないものであると判定する請求項１記載の投稿メッセージ出力装置。
【請求項１６】
前記投稿メッセージは、第１の投稿者から投稿された元投稿メッセージと、該元投稿メッセージに応答してユーザ自身が投稿した自己投稿メッセージと、前記元投稿メッセージに応答して第１の投稿者およびユーザ以外の他の者から投稿された返答投稿メッセージに分けられ、
前記出力不適メッセージ判定部は、少なくとも前記返答投稿メッセージを対象にして、出力に適していないものか否かを判定する請求項１乃至１５のいずれかに記載の投稿メッセージ出力装置。
【請求項１７】
ソーシャル・ネットワーキング・サービスを提供するシステムに投稿された投稿メッセージを取得し、その取得した投稿メッセージを出力する投稿メッセージ出力装置であって、
取得される前記投稿メッセージを一覧表示する表示出力部と、
取得される前記投稿メッセージが出力に適していないものであるか否かを所定の基準に従って判定する表示不適メッセージ判定部と、
該表示不適メッセージ判定部により出力に適していないものであると判定された投稿メッセージの表示形態を他の投稿メッセージの表示形態と異ならせる表示形態制御部とを有する投稿メッセージ出力装置。
【請求項１８】
前記表示形態制御部は、出力に適していないものであると判定された投稿メッセージの少なくとも一部を前記表示出力部が表示することを禁止する表示禁止制御部を有する請求項１７記載の投稿メッセージ出力装置。
【請求項１９】
前記投稿メッセージは、第１の投稿者から投稿された元投稿メッセージと、該元投稿メッセージに応答してユーザ自身が投稿した自己投稿メッセージと、前記元投稿メッセージに応答して第１の投稿者およびユーザ以外の他の者から投稿された返答投稿メッセージに分けられ、
前記表示不適メッセージ判定部は、少なくとも前記返答投稿メッセージを対象にして、出力に適していないものか否かを判定する請求項１７または１８のいずれかに記載の投稿メッセージ出力装置。
【請求項２０】
ソーシャル・ネットワーキング・サービスを提供するシステムに投稿された投稿メッセージを取得し、その取得した投稿メッセージを出力する投稿メッセージ出力装置であって、
取得される投稿メッセージが出力に適していないものであるか否かを所定の基準に従って判定する出力不適メッセージ判定部と、
該出力不適メッセージ判定部により出力に適していないと判定された投稿メッセージの少なくとも一部の出力を禁止する出力禁止制御部とを有する投稿メッセージ出力装置。
【請求項２１】
前記投稿メッセージは、第１の投稿者から投稿された元投稿メッセージと、該元投稿メッセージに応答してユーザ自身が投稿した自己投稿メッセージと、前記元投稿メッセージに応答して第１の投稿者およびユーザ以外の他の者から投稿された返答投稿メッセージに分けられ、
前記出力不適メッセージ判定部は、少なくとも前記返答投稿メッセージを対象にして、出力に適していないものか否かを判定する請求項２０に記載の投稿メッセージ出力装置。
【請求項２２】
ソーシャル・ネットワーキング・サービスを提供するシステムに投稿された投稿メッセージを取得し、その取得した投稿メッセージを出力する投稿メッセージ出力方法であって、
取得される前記投稿メッセージを読み上げて音声出力する音声出力ステップと、
取得される前記投稿メッセージが出力に適していないものであるか否かを所定の基準に従って判定する出力不適メッセージ判定ステップと、
該出力不適メッセージ判定ステップにより出力に適していないものと判定された投稿メッセージの少なくとも一部を前記音声出力部が読み上げて音声出力することを禁止する音声出力禁止制御ステップとを有する投稿メッセージ出力方法。
【請求項２３】
ソーシャル・ネットワーキング・サービスを提供するシステムに投稿された投稿メッセージを取得し、その取得した投稿メッセージを出力する投稿メッセージ出力方法であって、
取得される前記投稿メッセージを一覧表示する表示出力ステップと、
取得される前記投稿メッセージが出力に適していないものであるか否かを所定の基準に従って判定する表示不適メッセージ判定ステップと、
該表示不適メッセージ判定ステップにより出力に適していないものであると判定された投稿メッセージの表示形態を他の投稿メッセージの表示形態と異ならせる表示形態制御ステップとを有する投稿メッセージ出力方法。
【請求項２４】
ソーシャル・ネットワーキング・サービスを提供するシステムに投稿された投稿メッセージを取得し、その取得した投稿メッセージを出力する投稿メッセージ出力方法であって、
取得される投稿メッセージが出力に適していないものであるか否かを所定の基準に従って判定する出力不適メッセージ判定ステップと、
該出力不適メッセージ判定ステップより出力に適していないと判定された投稿メッセージの少なくとも一部の出力を禁止する出力禁止制御ステップとを有する投稿メッセージ出力方法。
【発明の詳細な説明】
【技術分野】
【０００１】
本発明は、Ｆａｃｅｂｏｏｋ （フェースブック：登録商標）等のソーシャル・ネットワーキング・サービス（ＳＮＳ）を提供するシステムに投稿された投稿メッセージを取得して、その投稿メッセージを利用者に通知するために出力する投稿メッセージ出力装置に関する。
【背景技術】
【０００２】
従来、特許文献１に記載される車載電子装置が知られている。この車載電子装置では、携帯電話機がインターネットを介して電子メールを受信した際に、その電子メールを携帯電話機から近距離無線通信により取得し、その電子メールの内容が液晶表示部に文字表示されるとともに、音声に変換してスピーカから出力される。このような電子装置によれば、運転者は、携帯電話機にて受信された電子メールの内容を音声により確認することができるので、車両の運転に集中することができる。
【先行技術文献】
【特許文献】
【０００３】
【特許文献１】特開２００２−１７６４８６号公報
【発明の概要】
【発明が解決しようとする課題】
【０００４】
ところで、近年、ツイッター（登録商標）、Ｆａｃｅｂｏｏｋ（登録商標）、Ｇｏｏｇｌｅ＋（登録商標）などのソーシャル・ネットワーキング・サービス（ＳＮＳ）が普及しており、ユーザは、スマートフォン、携帯電話、パーソナルコンピュータ等の携帯端末を用いて手軽にメッセージ（情報）を投稿したり、閲覧したりすることが可能になっている。このようなＳＮＳでは、携帯端末を用いてメッセージを手軽に投稿することができる分、例えば、１つの話題（元となる投稿メッセージ）に対して、多くの投稿メッセージが寄せられたり、その多くの投稿メッセージの内容も同じようなものになったりする傾向がある。
【０００５】
このような状況において、上述した従来の車載電子装置のように、ＳＮＳを提供するシステムから取得される投稿メッセージを表示出力や音声出力させる場合、多くの投稿メッセージ、また同じような内容の多くの投稿メッセージが出力される傾向にある。このため、ユーザは、取得した投稿メッセージから必要な情報（内容）を得るのに時間がかかったり、見逃しや聞き逃しなど確認し逃したりする能性が高い。
【０００６】
本発明は、このような事情に鑑みてなされたもので、取得した投稿メッセージから容易に必要な情報を得ることができ、その内容を確認し逃してしまうことを防止することができる投稿メッセージ出力装置を提供するものである。
【課題を解決するための手段】
【０００７】
本発明に係る投稿メッセージ出力装置は、ソーシャル・ネットワーキング・サービスを提供するシステムに投稿された投稿メッセージを取得し、その取得した投稿メッセージを出力する投稿メッセージ出力装置であって、取得される前記投稿メッセージを読み上げて音声出力する音声出力部と、取得される前記投稿メッセージが出力に適していないものであるか否かを所定の基準に従って判定する出力不適メッセージ判定部と、該出力不適メッセージ判定部により出力に適していないものと判定された投稿メッセージの少なくとも一部を前記音声出力部が読み上げて音声出力することを禁止する音声出力禁止制御部とを有する構成となる。
【０００８】
このような構成により、ソーシャル・ネットワーキング・サービス（ＳＮＳ）を提供するシステムに投稿された投稿メッセージが取得されると、通常、その取得された投稿メッセージが読み上げられて音声出力される。一方、前記投稿メッセージが所定の基準に従って出力に適していないものと判定されると、当該投稿メッセージの少なくとも一部は、読み上げられることなく音声出力されない。
【０００９】
本発明に係る投稿メッセージ出力装置において、前記出力不適メッセージ判定部は、予め定めた一又は複数の文言を登録文言として含む文言登録リストを記憶する記憶部と、取得された前記投稿メッセージから前記文言登録リストに含まれる登録文言を含む投稿メッセージを特定するメッセージ特定部とを有し、該メッセージ特定部にて特定される複数の投稿メッセージのうちの少なくとも１つの投稿メッセージを出力に適していないものと判定する構成とすることができる。
【００１０】
このような構成により、取得された投稿メッセージから、登録文言を含むものとして特定される投稿メッセージが複数存在する場合、それら複数の投稿メッセージのうち少なくとも１つの投稿メッセージが出力に適していないものと判定される。これにより、前記登録文言を含む複数の投稿メッセージのうち少なくとも１つの投稿メッセージについては、少なくとも一部が読み上げられずに音声出力されない。
【００１１】
本発明に係る投稿メッセージ出力装置において、前記出力不適メッセージ判定部は、前記メッセージ特定部にて特定される、１つの投稿メッセージを除いた残り全ての投稿メッセージを出力に適していないものと判定する構成とすることができる。
【００１２】
このような構成により、登録文言を含む複数の投稿メッセージがあったとしても、当該登録文言を含んだ内容がそのまま読み上げられて音声出力される回数は１回に制限される。
【００１３】
本発明に係る投稿メッセージ出力装置において、前記出力不適メッセージ判定部は、前記メッセージ特定部により１つの投稿メッセージが特定された後に、更に、前記メッセージ特定部により特定される投稿メッセージを出力に適していないものと判定する構成とすることができる。
【００１４】
このような構成により、最初に登録文言を含む投稿メッセージが特定されると、それ以後に登録文言を含む投稿メッセージとして特定される全ての投稿メッセージについては、その少なくとも一部が読み上げられずに音声出力されない。
【００１５】
本発明に係る投稿メッセージ出力装置において、前記文言登録リストは、予め同種であるとして定められた複数の文言を前記登録文言として含む構成とすることができる。
【００１６】
このような構成により、取得された投稿メッセージから、同種の登録文言を含むものとして特定される投稿メッセージが複数存在する場合、それら複数の投稿メッセージのうち少なくとも１つの投稿メッセージが出力に適していないものと判定される。これにより、同種の登録文言を含んで類似の内容を表し得る複数の投稿メッセージのうち少なくとも１つの投稿メッセージについては、少なくとも一部が省略された内容が読み上げられて音声出力される。
【００１７】
本発明に係る投稿メッセージ出力装置において、前記文言登録リストは、予め誹謗中傷の文言として定められた一又は複数の文言を前記登録文言として含む構成とすることができる。
【００１８】
このような構成により、取得された投稿メッセージから、誹謗中傷の文言を含むものとして特定される投稿メッセージが複数存在する場合、それら複数の投稿メッセージのうち少なくとも１つの投稿メッセージが出力に適していないものと判定される。これにより、誹謗中傷の文言を含む複数の投稿メッセージのうち少なくとも１つの投稿メッセージについては、少なくとも一部が省略された内容が読み上げられて音声出力される。
【００１９】
本発明に係る投稿メッセージ出力装置において、前記音声出力禁止制御手段は、出力に適していないものであると判定された投稿メッセージの少なくとも前記登録文言を前記音声出力部が読み上げて音声出力することを禁止する構成とすることができる。
【００２０】
このような構成により、登録文言を含む複数の投稿メッセージのうち出力に適していないものと判定された少なくとも１つの投稿メッセージについては、少なくとも当該登録文言が読み上げられずに音声出力されない。従って、同種の登録文言が繰り返し読み上げられて音声出力される回数を低減させることができる。
【００２１】
本発明に係る投稿メッセージ出力装置において、前記音声出力禁止制御手段は、出力に適していないものであると判定された投稿メッセージの前記登録文言を含む一区切りの部分を前記音声出力部が読み上げて音声出力することを禁止する構成とすることができる。
【００２２】
このような構成により、登録文言を含む複数の投稿メッセージのうち出力に適していないものと判定された少なくとも１つの投稿メッセージについては、当該登録文言を含む一区切りの部分が読み上げられずに音声出力されない。従って、同種の登録文言を含んで同じなる可能性の高い内容が繰り返し読み上げられて音声出力される回数を低減させることができる。
【００２３】
また、本発明に係る投稿メッセージ出力装置において、取得した投稿メッセージを一覧表示する表示出力部と、前記出力不適メッセージ判定部により出力に適していないと判定された投稿メッセージの表示形態を他の投稿メッセージの表示形態と異ならせる表示形態制御部とを有する構成とすることができる。
【００２４】
このような構成により、ソーシャル・ネットワーキング・サービス（ＳＮＳ）を提供するシステムに投稿された投稿メッセージが取得されると、通常、その取得された投稿メッセージが読み上げられて音声出力されるとともに、その取得された投稿メッセージがある表示形態にて一覧表示される。一方、前記投稿メッセージが所定の基準に従って出力に適していないものと判定されると、当該投稿メッセージについては、その少なくとも一部が読み上げられずに音声出力されず、また、他の投稿メッセージの表示形態と異なった表示形態にて表示される。これにより、出力に適していないものであると判定された投稿メッセージについては、他の投稿メッセージの表示形態に比べて目立たないような表示形態で表示することができる。
【００２５】
本発明に係る投稿メッセージ出力装置において、前記表示形態制御部は、出力に適していないと判定された投稿メッセージを表す文字列の少なくとも一部を表す文字列を他の投稿メッセージを表す文字列より小さく表示させる構成とすることができる。
【００２６】
このような構成により、出力に適していないものと判定された投稿メッセージについては、その少なくとも一部は読み上げられずに音声出力されず、また、他の投稿メッセージを表す文字列より小さい文字列で表示される。これにより、出力に適していないものであると判定された投稿メッセージについては、他の投稿メッセージの表示形態に比べて目立たないような表示形態で表示することができる。
【００２７】
本発明に係る投稿メッセージ出力装置において、前記出力不適メッセージ判定部は、予め定めた一又は複数の文言を登録文言として含む文言登録リストを記憶する記憶部と、取得された前記投稿メッセージから前記文言登録リストに含まれる登録文言を含む投稿メッセージを特定するメッセージ特定部とを有し、該メッセージ特定部にて特定される複数の登録メッセージのうちの少なくとも１つの投稿メッセージを出力に適していないものと判定し、前記表示形態制御部は、前記出力不適メッセージ判定部により出力に適していないものであると判定された投稿メッセージの少なくとも前記登録文言の表示形態を他の投稿メッセージの表示形態と異ならせる構成とすることができる。
【００２８】
このような構成により、登録文言を含む複数の投稿メッセージのうち少なくとも１つの投稿メッセージについては、少なくとも一部が読み上げられずに音声出力されなく、また、一覧表示される投稿メッセージにおいて、音声出力されない投稿メッセージについては、少なくとも前記登録文言が他の投稿メッセージの表示形態と異なる表示形態にて表示される。これにより、出力に適していないものであると判定された投稿メッセージについては、少なくともそれに含まれる登録文言を他の投稿メッセージの表示形態に比べて目立たないような表示形態で表示することができる。
【００２９】
本発明に係る投稿メッセージ出力装置において、前記表示形態制御部は、出力に適していないものであると判定された投稿メッセージの前記登録文言を含む一区切りの部分の表示形態を他の投稿メッセージの表示形態と異ならせる構成とすることができる。
【００３０】
このような構成により、一覧表示される投稿メッセージにおいて、登録文言を含む複数の投稿メッセージのうち出力に適していないものと判定された少なくとも１つの投稿メッセージについては、前記登録文言を含む一区切りの部分が他の投稿メッセージの表示形態と異なる表示形態にて表示される。これにより、出力に適していないものであると判定された投稿メッセージについては、登録文言を含む一区切りの部分を他の投稿メッセージの表示形態に比べて目立たないような表示形態で表示することができる。
【００３１】
本発明に係る投稿メッセージ出力装置において、前記表示形態制御部は、出力に適していないものであると判定された投稿メッセージの表示形態を他の投稿メッセージの表示形態と異ならせるべき部分を表す文字列を当該他の投稿メッセージを表す文字列より小さくする構成とすることができる。
【００３２】
このような構成により、一覧表示される投稿メッセージにおいて、登録文言を含む複数の投稿メッセージのうち少なくとも１つの投稿メッセージについては、表示形態を他の投稿メッセージの表示形態と異ならせるべき部分が、当該他の投稿メッセージの文字列より小さく表示される。これにより、出力に適していないものであると判定された投稿メッセージについては、他の投稿メッセージの表示形態に比べて目立たないような表示形態で表示することができる。
【００３３】
本発明に係る投稿メッセージ出力装置において、前記表示形態制御部は、出力不適メッセージ判定部により出力に適していないと判定された投稿メッセージの少なくとも一部を前記表示出力部が表示することを禁止する表示禁止制御手段を有する構成とすることができる。
【００３４】
このような構成により、一覧表示される投稿メッセージにおいて、出力に適していないと判定された投稿メッセージについては、少なくともその一部が表示されない。これにより、出力に適していないものであると判定された投稿メッセージについては、他の投稿メッセージの表示形態に比べて目立たないような表示形態で表示することができる。
【００３５】
本発明に係る投稿メッセージ出力装置において、前記出力不適メッセージ判定部は、予め定めた者以外の者から投稿された投稿メッセージを出力に適していないものであると判定する構成とすることができる。
【００３６】
このような構成により、予め定めた者以外の者から投稿された投稿メッセージについては、当該投稿メッセージの少なくとも一部は、読み上げられることなく音声出力されない。
【００３７】
本発明に係る投稿メッセージ出力装置において、前記投稿メッセージは、第１の投稿者から投稿された元投稿メッセージと、該元投稿メッセージに応答してユーザ自身が投稿した自己投稿メッセージと、前記元投稿メッセージに応答して第１の投稿者およびユーザ以外の他の者から投稿された返答投稿メッセージに分けられ、前記出力不適メッセージ判定部は、少なくとも前記返答投稿メッセージを対象にして、出力に適していないものか否かを判定する構成とすることができる。
【００３８】
また、本発明に係る投稿メッセージ表示装置は、ソーシャル・ネットワーキング・サービスを提供するシステムに投稿された投稿メッセージを取得し、その取得した投稿メッセージを出力する投稿メッセージ出力装置であって、取得される前記投稿メッセージを一覧表示する表示出力部と、取得される前記投稿メッセージが出力に適していないものであるか否かを所定の基準に従って判定する表示不適メッセージ判定部と、該出力不適メッセージ判定部により出力に適していないものであると判定された投稿メッセージの表示形態を他の投稿メッセージの表示形態と異ならせる表示形態制御部とを有する構成となる。
【００３９】
このような構成により、ソーシャル・ネットワーキング・サービス（ＳＮＳ）を提供するシステムに投稿された投稿メッセージが取得されると、通常、その取得された投稿メッセージは一覧表示される。その一覧表示される投稿メッセージにおいて、特に、所定の基準に従って出力に適していないものと判定された投稿メッセージについては、他の投稿メッセージの表示形態と異なる表示形態にて表示される。よって、前記一覧表示される投稿メッセージにおいて、表示形態の違いによって、前記出力に適していないものと判定された投稿メッセージを目立たなくさせることができる。
【００４０】
更に、本発明に係る投稿メッセージ出力装置は、ソーシャル・ネットワーキング・サービスを提供するシステムに投稿された投稿メッセージを取得し、その取得した投稿メッセージを出力する投稿メッセージ出力装置であって、取得される投稿メッセージが出力に適していないものであるか否かを所定の基準に従って判定する出力不適メッセージ判定部と、該出力不適メッセージ判定部により出力に適していないと判定された投稿メッセージの少なくとも一部の出力を禁止する出力禁止制御部とを有する構成となる。
【００４１】
このような構成により、ソーシャル・ネットワーキング・サービス（ＳＮＳ）を提供するシステムに投稿された投稿メッセージが取得されると、通常、その取得された投稿メッセージは出力される。一方、特に、所定の基準に従って出力に適していないものと判定された投稿メッセージについては、少なくともその一部が出力されない。
【００４２】
本発明に係る投稿メッセージ出力方法は、一の態様において、ソーシャル・ネットワーキング・サービスを提供するシステムに投稿された投稿メッセージを取得し、その取得した投稿メッセージを出力する投稿メッセージ出力方法であって、取得される前記投稿メッセージを読み上げて音声出力する音声出力ステップと、取得される前記投稿メッセージが出力に適していないものであるか否かを所定の基準に従って判定する出力不適メッセージ判定ステップと、該出力不適メッセージ判定ステップにより出力に適していないものと判定された投稿メッセージの少なくとも一部を前記音声出力部が読み上げて音声出力することを禁止する音声出力禁止制御ステップとを有する構成となる。
【００４３】
本発明に係る投稿メッセージ出力方法は、他の態様において、ソーシャル・ネットワーキング・サービスを提供するシステムに投稿された投稿メッセージを取得し、その取得した投稿メッセージを出力する投稿メッセージ出力方法であって、取得される前記投稿メッセージを一覧表示する表示出力ステップと、取得される前記投稿メッセージが出力に適していないものであるか否かを所定の基準に従って判定する表示不適メッセージ判定ステップと、該表示不適メッセージ判定ステップにより出力に適していないものであると判定された投稿メッセージの表示形態を他の投稿メッセージの表示形態と異ならせる表示形態制御ステップとを有する構成となる。
【００４４】
本発明に係る投稿メッセージ出力方法は、更に他の態様において、ソーシャル・ネットワーキング・サービスを提供するシステムに投稿された投稿メッセージを取得し、その取得した投稿メッセージを出力する投稿メッセージ出力方法であって、取得される投稿メッセージが出力に適していないものであるか否かを所定の基準に従って判定する出力不適メッセージ判定ステップと、該出力不適メッセージ判定ステップより出力に適していないと判定された投稿メッセージの少なくとも一部の出力を禁止する出力禁止制御ステップとを有する構成となる。
【発明の効果】
【００４５】
本発明に係る投稿メッセージ出力装置及び方法によれば、通常、取得された投稿メッセージは出力（読み出されて音声出力）される一方、特に、所定の基準に従って出力に適していないものと判定された投稿メッセージについては、少なくともその一部が出力（読み出されて音声出力）されないので、所定の基準に従って出力に適していないものと判定された投稿メッセージについて利用者に通知される情報の量が制限される。よって、容易に必要な情報（出力に適していないと判定された投稿メッセージについての情報）を得ることができ、その内容を確認し逃してしまう（聞き逃してしまうこと）ことを防止することができる。
【００４６】
また、本発明の他の形態に係る投稿メッセージ出力装置及び方法によれば、一覧表示される投稿メッセージにおいて、特に、所定の基準に従って出力に適していないものと判定された投稿メッセージについては、他の投稿メッセージの表示形態と異なる表示形態にて表示させることにより、前記一覧表示される投稿メッセージにおいて、表示形態の違いによって、前記出力に適していないものと判定された投稿メッセージを目立たなくさせることができる。このため、一覧表示される投稿メッセージにおいて、前記出力に適していないものと判定されたもの以外の投稿メッセージが相対的に目立ち得るようになり、その結果、容易に必要な情報を得ることができ、その内容を見逃してしまうことを防止することができる。
【図面の簡単な説明】
【００４７】
【図１】本発明の実施の一形態に係る投稿メッセージ出力装置が適用される車載機器の構成を示すブロック図である。
【図２】図１に示す車載機器に近距離通信により通信可能に接続された携帯端末におけるＳＮＳを提供システムから取得される投稿メッセージの表示例を示す図である。
【図３】携帯端末にて取得した投稿メッセージを車載機器側で出力するための処理の第１の手順例を示すフローチャートである。
【図４Ａ】文言登録リストの第１の例を示す図である。
【図４Ｂ】文言登録リストの第２の例を示す図である。
【図４Ｃ】文言登録リストの第３の例を示す図である。
【図５】出力制御テーブルの第１の例を示す図である。
【図６Ａ】メッセージ出力処理、特に、音声出力処理の第１の手順例を示すフローチャートである。
【図６Ｂ】メッセージ出力処理、特に、表示出力処理の第１の手順例を示すフローチャートである。
【図７】車載機器側での投稿メッセージの第１の表示例を示す図である。
【図８】携帯端末にて取得した投稿メッセージを車載機器側で出力するための処理の第２の手順例を示すフローチャートである。
【図９】文言登録リストの第５の例を示す図である。
【図１０】出力制御テーブルの第２の例を示す図である。
【図１１Ａ】メッセージ出力処理、特に、音声出力処理の第２の手順例を示すフローチャートである。
【図１１Ｂ】メッセージ出力処理、特に、表示出力処理の第２の手順例を示すフローチャートである。
【図１２】車載機器側での投稿メッセージの第２の表示例を示す図である。
【図１３】携帯端末にて取得した投稿メッセージを車載機器側で出力するための処理の第３の手順例を示すフローチャートである。
【図１４】出力制御テーブルの第３の例を示す図である。
【図１５】車載機器側での投稿メッセージの第３の表示例を示す図である。
【図１６】車載機器側での投稿メッセージの第４の表示例を示す図である。
【発明を実施するための形態】
【００４８】
本発明の実施の形態について図面を用いて説明する。
【００４９】
本発明の実施の一形態に係る投稿メッセージ出力装置が適用される車載機器は、図１に示すように構成される。
【００５０】
図１において、車載機器１００は、コンピューターユニット（例えば、ＣＰＵ）によって構成される処理ユニット１１を有している。処理ユニット１１には、各種音源及び映像源（例えば、ＣＤ及びＤＶＤ）の再生処理が可能なＡＶユニット１７及び自車両のナビゲーションが可能なナビゲーションユニット１８が接続されている。また、処理ユニット１１には、スピーカ１６と接続される出力回路１５が接続されている。そして、処理ユニット１１の制御のもと、ＡＶユニット１７及びナビゲーションユニット１８による処理に係る音声信号が出力回路１５を介してスピーカ１６から出力される。加えて、処理ユニット１１には、ＡＶユニット１７及びナビゲーションユニット１８において利用する楽曲情報及び地図情報等の各種情報を記憶可能な記憶部１４（記憶手段：例えば、ハードディスク）と、ＬＣＤ等によって構成される各種処理により生成される画像等を表示する表示部１３と、表示部１３上にタッチパネル形式にて形成される各種処理に必要な指示が入力可能な操作部１２とが接続されている。
【００５１】
また、処理ユニット１１には、近距離通信（例えば、ブルートゥースによる通信）を行う通信部１９が接続されている。通信部１９は、処理ユニット１１の制御のもと、対応する近距離通信機能を有する携帯端末２０（例えば、スマートフォン）と無線通信により情報の送受を行う。通信部１９にて受信される各種情報は処理ユニット１１に提供され、処理される。即ち、処理ユニット１１（車載機器１００）は、通信部１９の携帯端末２０との近距離通信により、携帯端末２０から情報を取得し、その情報を処理することができる。
【００５２】
携帯端末２０は、前記近距離通信のほか、所定の移動体通信網を介してインターネット上のＳＮＳサーバ（例えば、Ｆａｃｅｂｏｏｋ（登録商標）のサーバ）と通信可能である。ＳＮＳサーバは、人と人との繋がりを促すサービスであるソーシャル・ネットワーキング・サービスを提供するもので、具体的には、当該ＳＮＳサーバと通信可能な利用者それぞれの端末から投稿（送信）される投稿メッセージを蓄積管理し、その投稿メッセージを端末にて取得（受信）して利用者が閲覧できるようにしている。
【００５３】
携帯端末２０は、ＳＮＳサーバと通信を行って、ＳＮＳサーバに投稿された投稿メッセージを取得し、例えば、図２に示すように、それら投稿メッセージを一覧表示する。図２において、ある者（第１の投稿者）から投稿された投稿メッセージ（以下、元投稿メッセージという）Ｍａが先頭に表示され、その投稿メッセージＭａに応答して当該携帯端末２０から投稿された投稿メッセージＭｂ（以下、自己投稿メッセージという）が前記元投稿メッセージＭａの次に表示される。そして、前記元投稿メッセージＭａや自己投稿メッセージＭｂに対して他の者から投稿された種々の投稿メッセージ（コメント：返答投稿メッセージ）・・・Ｍｎ−４、Ｍｎ−３、Ｍｎ−２、Ｍｎ−１、Ｍｎが、当該携帯端末２０から投稿された前記自己投稿メッセージＭｂに続いてその投稿された時刻が現時点により近い順に配列されて表示される。
【００５４】
処理ユニット１１は、携帯端末２０との近距離通信を行う通信部１９を介して携帯端末２０がＳＮＳサーバから取得した投稿メッセージを取得し、その投稿メッセージを表示部１３に表示出力させるとともに、スピーカ１６から音声出力させる。投稿メッセージの前記表示出力及び音声出力に係る処理は、図３に示す手順に従って行われる。なお、携帯端末２０は、各投稿メッセージに含めてその投稿メッセージの属性（例えば、投稿元のアドレス、投稿元が予め指定された友達に属するか否かを表す情報、投稿時刻等）を車載機器１００（通信部１９）側に送る。
【００５５】
記憶部１４には、処理ユニット１１が図３に示す手順に従って投稿メッセージの出力（表示出力、音声出力）に係る処理を行う際に利用する、例えば、図４Ａ〜図４Ｃに示すような文言登録リストが格納されている。これら文言登録リストは、予め同種であるとして定められた（同種の意味となる）複数の文言を登録文言として含み、図４Ａに示す文言登録リストは、「おめでとう」、「おめでとうございます」、「おめでとうさん」を、図４Ｂに示す文言登録リストは、「ありがとう」、「ありがとうございます」、「サンキュー」、「ｔｈａｎｋ  ｙｏｕ」を、図４Ｃに示す文言登録リストは、「了解」、「了解しました」、「了解です」を、それぞれ登録文言として含む。
【００５６】
以下、処理ユニット１１による投稿メッセージの出力に係る処理について、図３を参照して、説明する。
【００５７】
図３において、処理ユニット１１は、所定の終了条件（例えば、携帯端末２０との通信断、処理の強制終了等）が満たされたか否か（Ｓ１２）を判定しつつ、携帯端末２０から送られてくる新たな投稿メッセージがあるか否かを判定している（Ｓ１１）。処理ユニット１１は、携帯端末２０から送られてくる新たな投稿メッセージがあると判定すると（Ｓ１１でＹＥＳ）、その新たな投稿メッセージを取得する（Ｓ１３）。そして、処理ユニット１１は、取得した投稿メッセージから１つの投稿メッセージを処理対象の投稿メッセージとして指定する（Ｓ１４）。なお、まず、元投稿メッセージＭａ、次に自己投稿メッセージＭｂ、以後、投稿時刻がより現在に近い、投稿メッセージＭｎ、Ｍｎ−１、Ｍｎ−２、Ｍｎ−３，Ｍｎ−４、・・・の順番で指定する。処理ユニット１１は、その指定した投稿メッセージを解析し（Ｓ１５）、その解析の結果得られた前記処理対象の投稿メッセージの属性を、例えば、図５に示すような出力制御テーブルにセットする（Ｓ１６）。
【００５８】
図５に示す前記出力制御テーブルは、携帯端末２０から取得した投稿メッセージ毎に、「属性」、「同種文言」、「誹謗中傷」及び「不適」の各項目を有し、それら項目ついての値が設定される。「属性」には、元投稿メッセージＭａに対して属性値＝１、自己投稿メッセージＭｂに対して属性値＝２、他の投稿メッセージ（返答投稿メッセージ）・・・Ｍｎ−４〜Ｍｎに対して、属性値＝３又は４がセットされる。他の投稿メッセージのうち、送信元が友達として指定されている送信元からの投稿メッセージに対して属性値＝３がセットされ、それ以外の送信元からの投稿メッセージに対して属性値＝４が設定される。「同種文言」には、投稿メッセージに含まれる文言登録リストの文言がセットされ、「誹謗中傷」には、後述する誹謗中傷を表す文言登録リストの文言がセットされる。そして、「不適」には、出力することが適していないものと判定された投稿メッセージに対してフラグ（○印）がセットされる。
【００５９】
処理ユニット１１は、更に、処理対象となる投稿メッセージが記憶部１４に格納された文言登録リスト（図４Ａ〜４Ｃ参照）に含まれる登録文言を含んでいるか否かを判定する（Ｓ１７：メッセージ特定部）。その投稿メッセージが登録文言を含む場合（Ｓ１７でＹＥＳ）、処理ユニット１１は、出力制御テーブル（図５参照）における「同種文言」にその登録文言をセットする。例えば、図２に示すように一覧表示される各投稿メッセージについては、図５に示すように、自己投稿メッセージＭｂ、他の投稿メッセージＭｎ、Ｍｎ−３、Ｍｎ−４のそれぞれに対しては、「同種文言」に、図４Ａに示す文言登録リストに含まれる登録文言「おめでとう」Ｗ１がセットされ、また、他の投稿メッセージＭｎ−１に対しては、「同種文言」に図４Ａに示す文言登録リストに含まれる登録文言「おめでとうございます」Ｗ２がセットされる。
【００６０】
なお、ここでは、処理対象となるすべての投稿メッセージに対して、ステップＳ１７にて、登録文言を含んでいるか否かの判定を行ったが、この際、前述する属性値に基づき、属性値＝３、属性値＝４が付与された投稿メッセージ（返答投稿メッセージ）についてのみ、登録文言を含んでいるかを判定するようにしてもよい。
【００６１】
前記処理対象となる投稿メッセージに登録文言が含まれる場合（Ｓ１７でＹＥＳ、Ｓ１８）、処理ユニット１１は、更に、出力制御テーブルにおいて、同じ登録文言が既にセットされていたか否か、即ち、同じ登録文言を含む登録メッセージに対する処理が既に終わっているかを判定する（Ｓ１９：出力不適メッセージ判定部）。そして、出力制御テーブルの「同種文言」に前記登録文言が既にセットされていると（Ｓ１９でＹＥＳ）、処理ユニット１１は、出力制御テーブルにおいて、前記処理対象となる投稿メッセージに対応する「不適」にフラグ（出力不適フラグ）をセットする（Ｓ２０）。なお、前記処理対象となる投稿メッセージに登録文言が含まれない場合（Ｓ１７でＮＯ）、及び前記登録文言が含まれる場合であっても（Ｓ１７でＹＥＳ）、出力制御テーブルにおいて、当該登録文言がまだセットさていなかった場合（Ｓ１９でＮＯ）、即ち、その登録文言を含む投稿メッセージを初めて処理した場合、出力制御テーブルにおいて、前記出力不適フラグはセットされない（Ｓ２０パス）。
【００６２】
以後、処理ユニット１１は、携帯端末２０から取得した全てのメッセージについての処理が終わっていないことを確認しつつ（Ｓ２１でＮＯ）、前記処理（Ｓ１４〜Ｓ２０）を繰り返し実行する。そして、全ての投稿メッセージについての処理が終了すると（Ｓ２１でＹＥＳ）、処理ユニット１１は、その時点の出力制御テーブルに従って、投稿メッセージの出力に係る処理（Ｓ２２）を実行する。
【００６３】
例えば、図２に示すような投稿メッセージが車載機器１００（処理ユニット１１）側にて取得された場合、出力制御テーブル（図５参照）についての上記処理の過程で、投稿メッセージＭｎに登録文言「おめでとう」Ｗ１（図４Ａ参照）が含まれていることが判定された（Ｓ１７でＹＥＳ）時点で、既に、自己投稿メッセージＭｂに対して登録文言「おめでとう」がセットされている（Ｓ１９でＹＥＳ）ので、投稿メッセージＭｎに対して「不適」のフラグがセットされる（Ｓ２０）。同様にして、登録文言「おめでとう」Ｗ１を含む他の投稿メッセージＭｎ−３、Ｍｎ−４、及び同種の登録文言「おめでとうございます」Ｗ２を含む他の投稿メッセージＭｎ−１に対しても「不適」のフラグがセットされる（Ｓ２０）。
【００６４】
前記投稿メッセージの出力に係る処理（Ｓ２２）は、図６Ａに示す手順に従って行われる音声出力に係る処理（出力回路１５及びスピーカ１６とともに音声出力部に相当）と、図６Ｂに示す手順従って行われる表示出力に係る処理とを含む。処理ユニット１１は、それら音声出力に係る処理と表示出力に係る処理とを同期させて並列的に実行することも、非同期にて実行することもできる。
【００６５】
図６Ａにおいて、処理ユニット１１は、属性値がセットされた出力制御テーブル（図５参照）において属性値のセットが終了した投稿メッセージから１つの投稿メッセージを指定し（Ｓ２２０）、出力制御テーブルを参照してその投稿メッセージに対して「不適」のフラグがセットされているか否かを判定する（Ｓ２２１：メッセージ特定部）。出力制御テーブルにおいて「不適」のフラグがセットされていない投稿メッセージについては（Ｓ２１１でＮＯ）、処理ユニット１１は、その投稿メッセージの全文を読み上げてスピーカ１６から音声出力させる（Ｓ２２２：第１音声出力処理）。一方、出力制御テーブルにおいて「不適」のフラグがセットされている投稿メッセージについては、処理ユニット１１は、出力制御テーブルを参照して、投稿メッセージの登録文言を含む一区切りの部分を読み上げずにスピーカ１６から音声出力させず（音声出力禁止制御部、出力禁止制御部）、それ以外の部分についてのみ読み上げてスピーカ１６から音声出力させる（Ｓ２２３：第２音声出力処理）。そして、処理ユニット１１は、上記処理（Ｓ２２０〜Ｓ２２３）を全ての登録メッセージについて繰り返し実行する。そして、全ての登録メッセージについての処理が終了（Ｓ２２４でＹＥＳ）した後、処理ユニット１１は、図３に示すように、終了条件が満たされたか否かを確認しつつ（Ｓ１２）、携帯端末２０から送られてくる新たな投稿メッセージがあるか否かを判定している（Ｓ１１）状態に戻る。
【００６６】
また、図６Ｂにおいて、処理ユニット１１は、音声出力に係る処理と同様に、１つの投稿メッセージを指定すると（Ｓ２２５）、出力制御テーブルを参照して、その投稿メッセージに対して「不適」のフラグがセットされているか否かを判定する（Ｓ２２６）。処理ユニット１１は、「不適」のフラグがセットされていない投稿メッセージについては（Ｓ２２６でＮＯ）、その投稿メッセージの全文を標準サイズの文字列にて表示部１３に表示させる（Ｓ２２７：第１表示出力処理）一方、「不適」のフラグがセットされている投稿メッセージについては、登録文言を含む一区切りの部分を縮小サイズの文字列にて表示部１３に表示させ、それ以外の部分についてのみ標準サイズの文字列にて表示部１３に表示させる（Ｓ２２８：第２表示出力処理：表示形態制御部）。そして、処理ユニット１１は、上記処理（Ｓ２２５〜Ｓ２２８）を全ての登録メッセージについて繰り返し実行する。そして、全ての登録メッセージについての処理が終了（Ｓ２２９でＹＥＳ）した後、処理ユニット１１は、図３に示すように、終了条件が満たされたか否かを確認しつつ（Ｓ１２）、携帯端末２０から新たな登録メッセージが携帯端末２０から送られてくる新たな投稿メッセージがあるか否かを判定している（Ｓ１１）状態に戻る。
【００６７】
なお、前記音声出力処理（図６Ａ参照）及び前記表示出力処理（図６Ｂ参照）が終了した（Ｓ２２４でＮＯ，Ｓ２２９でＮＯ）後に、終了条件（例えば、携帯端末２０との通信断、処理の強制終了等）が満たされると（Ｓ１２でＹＥＳ）、処理ユニット１１は、出力制御テーブル（図５参照）をリセットして（Ｓ２３）、投稿メッセージの出力に係る処理を終了させる。
【００６８】
上述した出力に係る処理により、例えば、図２に示すような投稿メッセージが車載機器１００側に送られてきた場合、図７に示すように、登録文言「おめでとう」を含む投稿メッセージＭｎの当該登録文言を含む一区切りの部分「誕生日おめでとう♪」が縮小文字で表示されるとともに、その部分は読み上げられずに音声出力されない。また、同種の登録文言「おめでとうございます」を含む投稿メッセージＭｎ−１の当該登録文言を含む一区切りの部分「おめでとうございます！」が縮小文字で表示されるとともに、その部分は読み上げられずに音声出力されない。また、同様に、登録文言「おめでとう」を含む投稿メッセージＭｎ−３の当該登録文言を含む一区切りの部分「おめでとう♪」が縮小文字で表示されるとともに、その部分は読み上げられずに音声出力されず、他の部分「賛成！」だけが標準文字で表示されるとともに、読み上げられて音声出力される。また、投稿メッセージＭｎと同様に、登録文言「おめでとう」を含む投稿メッセージＭｎ−４の当該登録文言を含む一区切りの部分「おめでとう！」が縮小文字で表示されるとともに、その部分は読み上げられずに音声出力されない。
【００６９】
上述したような投稿メッセージ出力装置（車載機器１００）によれば、通常（図６ＡにおけるＳ２２１でＮＯ）、取得された投稿メッセージが読み上げられて音声出力される（第１音声出力処理）。一方、前記投稿メッセージが所定の基準に従って出力に適していないものと判定される（図６ＡにおけるＳ２２１でＹＥＳ）と、具体的には、投稿メッセージ（図７における投稿メッセージＭｂ）に登録文言が含まれていると最初に判定された以後、投稿メッセージが同種の登録文言を含む投稿メッセージとして判定されると、そのように判定された全ての投稿メッセージ（図７におけるＭｎ、Ｍｎ−１、Ｍｎ−３、Ｍｎ−４：出力として適していないものとして判定されたもの）については、その登録文言を含む一区切りの部分が読み上げられずに音声出力されない（第２音声出力処理）。このため、容易に必要な情報（例えば、おめでとう、誕生会やろうよ、賛成）を得ることができ、その内容を聞き逃してしまうことを防止することができる。
【００７０】
また、同時に、一覧表示される投稿メッセージにおいて、特に、所定の基準に従って出力に適していないものと判定された投稿メッセージ、具体的には、投稿メッセージ（図７における投稿メッセージＭｂ）に登録文言が含まれていると最初に判定された以後、同種の登録文言を含む投稿メッセージとして判定される全ての投稿メッセージ（図７におけるＭｎ、Ｍｎ−１、Ｍｎ−３、Ｍｎ−４：出力として適していないものとして判定されたもの）については、その登録文言を含む一区切りの部分の文字列が、他の投稿メッセージ（図７におけるＭａ、Ｍｂ、Ｍｎ−２）の文字列のサイズ（標準サイズ）より小さいサイズ（縮小サイズ）で表示されるので、出力（表示出力）に適していないものと判定された投稿メッセージ（図７におけるＭｎ、Ｍｎ−１、Ｍｎ−３、Ｍｎ−４）を目立たなくさせることができる。このため、一覧表示される投稿メッセージにおいて、容易に必要な情報（例えば、おめでとう、誕生会やろうよ、賛成）を得ることができ、その内容を見逃してしまうことを防止することができる。
【００７１】
処理ユニット１１は、図３に示す手順に代えて、図８に示す手順に従って投稿メッセージの出力に係る処理を行うことができる。この処理は、誹謗中傷（登録文言）を含む投稿メッセージを読み上げずに音声出力させず、また、その表示形態を変える、ことを特徴としている。このような投稿メッセージの出力に係る処理を実行する処理ユニット１１は、記憶部１４に格納された誹謗中傷の文言に関する文言登録リストを用いる。この文言登録リストは、例えば、図９に示すように、「バカ」、「死ね」、「アホ」、「うるさい」等の文言を登録文言として含む。
【００７２】
図８に示す処理では、図３に示すステップＳ１８、Ｓ１９、Ｓ２０に代えて、ステップＳ３１、Ｓ３２、Ｓ３３が実行される。これにより、例えば、図１２に示すような投稿メッセージ（元投稿メッセージＭａ、自己投稿メッセージＭｂ、他の投稿メッセージ・・・Ｍｎ−４、Ｍｎ−３、Ｍｎ−２、Ｍｎ−１、Ｍｎ）を携帯端末２０から取得する場合、出力制御テーブルにおいて、図１０に示すように、投稿メッセージＭｎに対して「誹謗中傷」の登録文言「うるさい」Ｗｓ１及び登録文言「バカ」Ｗｓ２がセットされ、投稿メッセージＭｎ−２に対して「誹謗中傷」の登録文言「アホ」Ｗｓ３が設定される（Ｓ３１、Ｓ３２）。そして、それらの投稿メッセージＭｎ、Ｍｎ−２に対して、出力に適していないものであることを表す「不適」のフラグがセットされる（Ｓ３３）。
【００７３】
処理ユニット１１は、上述したように各項目についての値がセットされた出力制御テーブル（図１０参照）を参照して、図１１Ａに示す手順に従って音声出力に係る処理を行い、図１１Ｂに示す手順に従って表示出力に係る処理を行う。
【００７４】
この場合、文言登録リスト（図９参照）に含まれる「誹謗中傷」の登録文言を含まない投稿メッセージＭａ、Ｍｂ、Ｍｎ−１、Ｍｎ−３、Ｍｎ−４については（図１１ＡにおけるＳ２２０、Ｓ２２１でＮＯ）、その投稿メッセージの全文が読み上げられてスピーカ１６から音声出力される（Ｓ２２２：第１音声出力処理）。一方、出力制御テーブルにおいて「不適」のフラグがセットされている誹謗中傷の登録文言が含まれる投稿メッセージについては、その投稿メッセージの全てが読み上げられずにスピーカ１６から音声出力されない（Ｓ２２３ａ：第２音声出力処理：音声出力禁止制御部）。
【００７５】
なお、誹謗中傷の登録文言を含む投稿メッセージについては、その誹謗中傷の登録文言だけ、あるいは、誹謗中傷の登録文言を含む一区切りの部分の音声出力を禁止する（図６Ａのステップ２２３）こともできる。
【００７６】
また、文言登録リスト（図９参照）に含まれる「誹謗中傷」の登録文言を含まない投稿メッセージＭａ、Ｍｂ、Ｍｎ−１、Ｍｎ−３、Ｍｎ−４については（図１１ＢにおけるＳ２２５、Ｓ２２６でＮＯ）については、その投稿メッセージの全文が標準サイズの文字列にて表示部１３に表示される（Ｓ２２７：第１表示出力処理）。一方、「不適」のフラグがセットされている誹謗中傷の登録文言が含まれる投稿メッセージ（Ｍｎ、Ｍｎ−２）については、図１２に示すように、その投稿メッセージの全てが縮小サイズ文字列にて表示部１３に表示される（Ｓ２２８ａ：第２表示出力処理：表示態様制御手段）。
【００７７】
なお、誹謗中傷の登録文言を含む投稿メッセージについては、その誹謗中傷の登録文言だけ、あるいは、誹謗中傷の登録文言を含む一区切りの部分を縮小サイズの文字で表示させる（図６Ｂのステップ２２８）こともできる。
【００７８】
上述したような投稿メッセージの出力に係る処理によれば、誹謗中傷の文言を含むものとして特定される投稿メッセージについては、その音声出力が禁止されるので、容易に必要な情報（誹謗中傷のない情報）を得ることができ、その内容を聞き逃してしまうことを防止することができる。また、そのように誹謗中傷の文言を含む登録メッセージについて、他の投稿メッセージの文字列のサイズ（標準サイズ）より小さいサイズ（縮小サイズ）で表示されるので、誹謗中傷の文言を含んで出力（表示出力）に適していないものと判定された投稿メッセージを目立たなくさせることができる。このため、一覧表示される投稿メッセージにおいて、容易に必要な情報（誹謗中傷の文言のない情報）を得ることができ、その内容を見逃してしまうことを防止することができる。
【００７９】
処理ユニット１１は、図３や図８に示す手順に代えて、図１３に示す手順に従って投稿メッセージの出力に係る処理を行うことができる。この処理は、友達として予め定めた者以外の者から投稿された投稿メッセージを出力に適していないものとして、音声出力を制限するとともに、その表示形態を変えること、を特徴としている。
【００８０】
図１３に示す処理では、図３に示すステップＳ１８、Ｓ１９、Ｓ２０、図８に示すステップＳ３１、Ｓ３２、Ｓ３３に代えて、ステップＳ４１、Ｓ４２が実行される。これにより、例えば、図１２に示すような投稿メッセージ（元投稿メッセージＭａ、自己投稿メッセージＭｂ、他の投稿メッセージ・・・Ｍｎ−４、Ｍｎ−３、Ｍｎ−２、Ｍｎ−１、Ｍｎ）を携帯端末２０から取得する場合、出力制御テーブルにおいて、図１４に示すように、投稿メッセージＭｎ−１、Ｍｎ−２、Ｍｎ−３に対して、予め友達として定められた者以外の者から投稿された投稿メッセージであることを表す属性値＝４がセットされ、投稿メッセージＭｎ、Ｍｎ−４に対して、友達として定められた者から投稿された投稿メッセージであることを表す属性値＝３がセットされる（Ｓ１６）。そして、出力制御テーブルにおいて、更に、属性値＝４にセットされた投稿メッセージ（Ｓ４１でＹＥＳ）に対して、出力に適していないものであることを表す「不適」のフラグがセットされる（Ｓ４２）。
【００８１】
処理ユニット１１は、上述したように「属性」項目についての値がセットされた出力制御テーブル（図１４参照）を参照して、前述した例と同様に、図１１Ａに示す手順に従って音声出力に係る処理を行い、図１１Ｂに示す手順に従って表示出力に係る処理を行う。
【００８２】
この場合、元投稿メッセージＭａ、自己投稿メッセージＭｂ及び友達として定められた者から投稿された投稿メッセージＭｎ、Ｍｎ−４については（図１１ＡにおけるＳ２２０、Ｓ２２１でＮＯ）、その投稿メッセージの全文が読み上げられてスピーカ１６から音声出力される（Ｓ２２２：第１音声出力処理）。一方、出力制御テーブルにおいて「不適」のフラグがセットされている友達として定められた者から投稿された投稿メッセージＭｎ−１、Ｍｎ−２、Ｍｎ−３については、その投稿メッセージの全てが読み上げられずにスピーカ１６から音声出力されない（Ｓ２２３ａ：第２音声出力処理：音声出力禁止制御部）。
【００８３】
また、元投稿メッセージＭａ、自己投稿メッセージＭｂ及び友達として定められた者から投稿された投稿メッセージＭｎ、Ｍｎ−４については（図１１ＢにおけるＳ２２５、Ｓ２２６でＮＯ）、その投稿メッセージの全文が標準サイズの文字列にて表示部１３に表示される（Ｓ２２７：第１表示出力処理）。一方、「不適」のフラグがセットされ、友達として定められた者から投稿された投稿メッセージＭｎ−１、Ｍｎ−２、Ｍｎ−３については、図１５に示すように、その投稿メッセージの全てが縮小サイズ文字列にて表示部１３に表示される（Ｓ２２８ａ：第２表示出力処理：表示態様制御手段）。
【００８４】
上述したような投稿メッセージの出力に係る処理によれば、友達として定められた者以外の者から投稿された投稿メッセージについては、その音声出力が禁止されるので、友達として定められた者からの投稿メッセージに特に興味のある利用者は、容易に必要な情報を得ることができ、その内容を聞き逃してしまうことを防止することができる。また、そのように友達として定められた者以外の者から投稿された投稿メッセージについて、他の投稿メッセージ（友達として定められた者から投稿された投稿メッセージ）の文字列のサイズ（標準サイズ）より小さいサイズ（縮小サイズ）で表示されるので、友達として定められた者以外の者から投稿されて、その出力（表示出力）に適していないものと判定された投稿メッセージを目立たなくさせることができる。このため、友達として定められた者からの投稿メッセージに興味のある利用者は、一覧表示される投稿メッセージにおいて、容易に必要な情報その内容を見逃してしまうことを防止することができる。
【００８５】
上述した表示出力に係る処理（図６Ａ、図１１Ａ）においては、出力に適していないと判定された投稿メッセージについて、他の投稿メッセージの表示形態（標準サイズ）と異なる表示形態（縮小サイズ）で表示出力させるものであったが、全く、表示させないようにしてもよい。この場合、例えば、図２に示すような投稿メッセージが取得される場合、図１６に示すように、自己投稿メッセージＭｂと投稿メッセージＭｎ−２との間に配列される出力に適していないと判定された２つの投稿メッセージＭｎ、Ｍｎ−１が表示されず、投稿メッセージＭｎ−３の後に配置される出力に適していないと判定されたｉ個の投稿メッセージが表示されない。そして、それぞれ、表示されない投稿メッセージの数（２個、ｉ個）が投稿メッセージとともに表示され、また、所定のアイコン（＋）を操作することで、表示されていなかった投稿メッセージを表示させるようにすることができる。
【００８６】
前述した投稿メッセージ出力装置は、車載機器１００に適用され、その車載機器１００に通信可能に接続された携帯端末２０にてＳＮＳサーバから受信された投稿メッセージを車載機器１００から出力（音声出力、表示出力）させるものであったが、これに限定されず、携帯端末２０において、上述した手順に従って、音声出力や表示出力させるように構成することもできる。また、車載機器１００をＳＮＳサーバとの通信機能を備えるように構成し、車載機器１００でＳＮＳサーバから受信される投稿メッセージについて、上述したような手順に従って音声出力や表示出力させるように構成することもできる。
【００８７】
また、前述した投稿メッセージ出力装置（車載機器１００）は、投稿メッセージの音声出力及び表示出力の双方の出力を行うものであったが、音声出力及び表示出力のいずれか一方を行うものであってもよい。
【産業上の利用可能性】
【００８８】
以上説明したように、本発明に係る投稿メッセージ出力装置は、取得した投稿メッセージから容易に必要な情報を得ることができ、その内容を確認し逃してしまうことを防止することができるという効果を有し、Ｆａｃｅｂｏｏｋ （フェースブック：登録商標）等のソーシャル・ネットワーキング・サービス（ＳＮＳ）を提供するシステムに投稿された投稿メッセージを取得して、その投稿メッセージを利用者に通知するために出力する投稿メッセージ出力装置として有用である。
【符号の説明】
【００８９】
１１  処理ユニット
１２  操作部
１３  表示部
１４  記憶部
１５  出力回路
１６  スピーカ
１７  ＡＶユニット
１８  ナビゲーションユニット
１９  通信部
２０  携帯端末
１００  車載機器
【図１】
2015162010.tif 000003
【図３】
2015162010.tif 000004
【図４Ａ】
2015162010.tif 000005
【図４Ｂ】
2015162010.tif 000006
【図４Ｃ】
2015162010.tif 000007
【図５】
2015162010.tif 000008
【図６Ａ】
2015162010.tif 000009
【図６Ｂ】
2015162010.tif 000010
【図８】
2015162010.tif 000011
【図９】
2015162010.tif 000012
【図１０】
2015162010.tif 000013
【図１１Ａ】
2015162010.tif 000014
【図１１Ｂ】
2015162010.tif 000015
【図１３】
2015162010.tif 000016
【図１４】
2015162010.tif 000017
【図２】
2015162010.tif 000018
【図７】
2015162010.tif 000019
【図１２】
2015162010.tif 000020
【図１５】
2015162010.tif 000021
【図１６】
2015162010.tif 000022